(57)【要約】【課題】ワンセグメント放送において、チャンネル操作によってサービスが指定されてから、そのサービスのコンテンツが出力されるまでのサービス切り替え時間を短縮する。【解決手段】高速モードにおいて、あらかじめ決められたPIDのPMTであるデフォルトPMTが取得され、そのデフォルトPMTにPIDが記述されているコンテンツの出力準備が行われるのと並列して、NITが取得され、そのNITに記述されているサービスリストに基づいて、デフォルトPMTが、ユーザが指定した指定サービスのPMTであることを確認するサービス確認が行われる。デフォルトPMTが、指定サービスのPMTである場合、デフォルトPMTにPIDが記述されているコンテンツの出力が開始される。本技術は、例えば、ワンセグ放送の受信システムに適用できる。【選択図】図５
2013255093.tif 000002
【特許請求の範囲】
【請求項１】
ワンセグメント放送の受信を制御する受信制御部を備え、
前記受信制御部は、
あらかじめ決められたPID(Packet Identifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、
前記デフォルトPMTが、前記ユーザが指定したサービスのPMTである場合、前記デフォルトPMTにPIDが記述されているコンテンツの出力を開始させる
制御装置。
【請求項２】
前記デフォルトPMTが、前記ユーザが指定したサービスのPMTでない場合、前記受信制御部は、前記ユーザが指定したサービスのPMTを取得し、そのPMTにPIDが記述されているコンテンツの出力を準備して、そのコンテンツの出力を開始させる
請求項１に記載の制御装置。
【請求項３】
前記ユーザが指定したサービスが、前記ワンセグメント放送を受信するチューナが現在受信している周波数帯域の信号とは異なる周波数帯域で放送されているサービスである場合、前記受信制御部は、
前記デフォルトPMTを取得し、そのデフォルトPMTにPIDが記述されているコンテンツの出力を準備するのと並列して、前記サービス確認を行い、
前記デフォルトPMTが、前記ユーザが指定したサービスのPMTである場合、前記デフォルトPMTにPIDが記述されているコンテンツの出力を開始させる
請求項１に記載の制御装置。
【請求項４】
ワンセグメント放送の受信を制御する受信制御部を備える制御装置の
前記受信制御部が、
あらかじめ決められたPID(Packet IDentifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、
前記デフォルトPMTが、前記ユーザが指定したサービスのPMTである場合、前記デフォルトPMTにPIDが記述されているコンテンツの出力を開始させる
ステップを含む制御方法。
【請求項５】
ワンセグメント放送の受信を制御する受信制御部として、コンピュータを機能させるためのプログラムであり、
前記受信制御部は、
あらかじめ決められたPID(Packet IDentifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、
前記デフォルトPMTが、前記ユーザが指定したサービスのPMTである場合、前記デフォルトPMTにPIDが記述されているコンテンツの出力を開始させる
プログラム。
【発明の詳細な説明】
【技術分野】
【０００１】
本技術は、制御装置、制御方法、及び、プログラムに関し、特に、例えば、ワンセグメント放送において、ユーザがサービスを指定してから、そのサービスのコンテンツが出力されるまでのサービス切り替え時間を短縮することができるようにする制御装置、制御方法、及び、プログラムに関する。
【背景技術】
【０００２】
日本の地上ディジタル放送では、UHF（Ultra High Frequency）帯の約6MHzの周波数帯域が、１３セグメントに分割され、１セグメントを使用したワンセグメント放送（以下、ワンセグ放送ともいう）が、携帯端末向けの放送として行われている。
【０００３】
ワンセグ放送については、任意の周波数帯域の任意のセグメントで行われうるワンセグ放送の中で、受信可能なワンセグメント放送を、迅速に、ユーザに提示する方法が提案されている（例えば、特許文献１）。
【先行技術文献】
【特許文献】
【０００４】
【特許文献１】特開2011-211627号公報
【発明の概要】
【発明が解決しようとする課題】
【０００５】
ワンセグ放送を受信する受信システムでは、SI/PSI(Service Information / Program Specific Information)が取得され、そのSI／PSIに基づいて、必要な画像や音声等のコンテンツのES(Elementary Stream)のPID(Packet Identifier)が特定される。そして、受信システムでは、コンテンツが取得されてデコードされ、そのデコード後に、コンテンツ（の画像や音声）は、出力すること（ユーザに提示すること）が可能となる。
【０００６】
したがって、ワンセグ放送を受信する受信システムでは、ユーザがチャンネル（サービス）を選択するチャンネル操作を行った後、そのチャンネル操作によってユーザが指定したチャンネル（サービス）のコンテンツが出力されるまでの時間であるサービス切り替え時間は、少なくとも、SI／PSIを取得する時間と、コンテンツのデコードに要する時間とを加算した時間となり、アナログ放送の場合よりも長くなる。
【０００７】
ここで、ワンセグ放送（地上ディジタル放送）では、必要なSI／PSIを取得するのに、最悪の場合で、1秒程度の時間を要することがあり、必要なSI／PSIを取得するのに要する時間がサービス切り替え時間を占める割合は、大きい。
【０００８】
本技術は、このような状況に鑑みてなされたものであり、ワンセグメント放送において、サービス切り替え時間を短縮することができるようにするものである。
【課題を解決するための手段】
【０００９】
本技術の一側面の制御装置、又は、プログラムは、ワンセグメント放送の受信を制御する受信制御部を備え、前記受信制御部は、あらかじめ決められたPID(Packet Identifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、前記デフォルトPMTが、前記ユーザが指定したサービスのPMTである場合、前記デフォルトPMTにPIDが記述されているコンテンツの出力を開始させる制御装置、又は、制御装置としてコンピュータを機能させるためのプログラムである。
【００１０】
本技術の一側面の制御方法は、ワンセグメント放送の受信を制御する受信制御部を備える制御装置の前記受信制御部が、あらかじめ決められたPID(Packet IDentifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、前記デフォルトPMTが、前記ユーザが指定したサービスのPMTである場合、前記デフォルトPMTにPIDが記述されているコンテンツの出力を開始させるステップを含む制御方法である。
【００１１】
本技術の一側面においては、ワンセグメント放送の受信を制御する受信制御において、あらかじめ決められたPID(Packet IDentifier)のPMT(Program Map Table)であるデフォルトPMTを取得し、前記デフォルトPMTにPIDが記述されているコンテンツの出力を準備するのと並列して、前記ワンセグメント放送のNITが取得され、前記NITに記述されているサービスリストに基づいて、前記デフォルトPMTが、ユーザが指定したサービスのPMTであることを確認するサービス確認が行われる。そして、前記デフォルトPMTが、前記ユーザが指定したサービスのPMTである場合、前記デフォルトPMTにPIDが記述されているコンテンツの出力が開始される。
【００１２】
なお、制御装置は、独立した装置であっても良いし、１つの装置を構成している内部ブロックであっても良い。
【００１３】
また、プログラムは、伝送媒体を介して伝送することにより、又は、記録媒体に記録して、提供することができる。
【発明の効果】
【００１４】
本技術の一側面によれば、ワンセグメント放送において、ユーザがサービスを指定してから、そのサービスのコンテンツが出力されるまでのサービス切り替え時間を短縮することができる。
【図面の簡単な説明】
【００１５】
【図１】本技術の制御装置を適用した受信システムの一実施の形態のハードウェアの構成例を示すブロック図である。
【図２】CPU１５がプログラムを実行することにより機能的に実現される、ワンセグ放送の受信を制御する受信制御装置の構成例（機能的構成例）を示すブロック図である。
【図３】ワンセグ放送のTSのSI/PSIとしてのNIT及びPMTの例を示す図である。
【図４】ユーザによるチャンネル操作と、チャンネル操作によって受信制御部３３が受信するサービスとの関係を説明する図である。
【図５】通常モード及び高速モードそれぞれの出力制御処理を説明するタイミングチャートである。
【図６】通常モードの出力制御処理を説明するフローチャートである。
【図７】高速モードの出力制御処理を説明するフローチャートである。
【発明を実施するための形態】
【００１６】
［本技術を適用した受信システムの一実施の形態の構成例］
【００１７】
図１は、本技術の制御装置を適用した受信システムの一実施の形態のハードウェアの構成例を示すブロック図である。
【００１８】
図１において、受信システムは、アンテナ１１、ワンセグチューナ（フロントエンド）１２、不揮発メモリ１３、DRAM(Dynamic random access memory)１４、CPU(Central Processing Unit)１５、ユーザI/F(Interface)１６、表示デバイス１７、DAC/AMP(Digital Analog Converter / Amplifier)１８、及び、スピーカ１９を有する。
【００１９】
アンテナ１１は、ワンセグ放送（地上ディジタル放送）の放送波を受信し、その放送波の受信信号を、ワンセグチューナ１２に供給する。
【００２０】
ワンセグチューナ１２は、CPU１５の制御に従い、アンテナ１１からの受信信号を復調し、ベースバンドのTS(Transport Stream)を、CPU１５に供給する。
【００２１】
不揮発メモリ１３は、CPU１５が実行するプログラムや、受信システムの電源がオフされた後も保持しておく必要があるデータを記憶する。
【００２２】
DRAM１４は、いわゆるワーク用のメモリであり、CPU１５の動作上必要なデータ等を一時記憶する。
【００２３】
CPU１５は、不揮発メモリ１３に記憶されたプログラムを実行することにより、受信システムの各ブロックを制御するとともに、ワンセグ放送の受信を制御する受信制御を行う受信制御装置として機能する。
【００２４】
すなわち、CPU１５は、例えば、ユーザI/F１６からの、チャンネルを指定するコマンドや、チャンネルをアップ又はダウンを指定するコマンド等を受け付ける。
【００２５】
また、CPU１５は、ユーザI/F１６からのコマンドに基づいて、ワンセグチューナ１２で受信（復調）すべき周波数帯域を決定し、その決定に従って、ワンセグチューナ１２を制御する。
【００２６】
さらに、CPU１５は、ワンセグチューナ１２から供給されるTSから、必要なデータ（が配置されたTSパケット）を分離するデマルチプレクサ(DEMUX)や、デマルチプレクサによって分離されたデータのうちの、エンコードされたエンコードデータをデコードするデコーダ(DECODER)等として機能する。
【００２７】
CPU１５は、エンコードデータをデコードすることにより得られる、コンテンツのビデオデータを、表示デバイス１７に供給する。
【００２８】
また、CPU１５は、エンコードデータをデコードすることにより得られる、コンテンツのオーディオデータを、DAC/AMP１８に供給する。
【００２９】
その他、CPU１５は、受信しているコンテンツとしての番組を放送しているチャンネルのチャンネル番号や放送局名等のチャンネル情報や、受信しているコンテンツとしての番組のタイトル等の番組情報を、表示デバイス１７に供給することができる。
【００３０】
ユーザI/F１６は、受信システムの筐体に設けられた物理的なボタンや、リモートコマンダ、表示部１７等にGUI(Graphical User Interface)として表示される仮想的なボタン等であり、ユーザによって操作される。ユーザI/F１６は、ユーザの操作に応じたコマンド等の操作信号を、CPU１５に供給する。
【００３１】
ここで、ユーザによるユーザI/F１６の操作としては、チャンネルの操作（チャンネル操作）がある。チャンネル操作としては、チャンネル（の番号）を直接指定する操作と、チャンネルを、現在のチャンネルからアップ、又は、ダウンさせる操作とがある。
【００３２】
表示デバイス１７は、例えば、LCD(Liquid Crystal Display)や、有機EL(Electro Luminescence)ディスプレイ等で構成され、CPU１５から供給されるビデオデータに対応する画像を表示する。さらに、表示デバイス１８は、CPU１５から供給されるチャンネル情報や番組情報を、必要に応じて表示する。
【００３３】
DAC/AMP１８は、CPU１５からの（ディジタルの）オーディオデータをD/A(Digital / Analog)変換し、その結果得られる（アナログの）音響（音声）信号のレベルを調整して、スピーカ１９に供給する。
【００３４】
スピーカ１９は、DAC/AMP１８からの音響信号に対応する音（音声）を出力する。
【００３５】
以上のように構成される受信システムにおいて、CPU１５は、不揮発メモリ１３に記憶されたプログラムを実行することにより、ワンセグ放送の受信を制御する受信制御装置として機能する。
【００３６】
［受信制御装置の構成例］
【００３７】
図２は、図１のCPU１５がプログラムを実行することにより機能的に実現される、ワンセグ放送の受信を制御する受信制御装置の構成例（機能的構成例）を示すブロック図である。
【００３８】
図２において、受信制御装置は、ユーザ入力処理部３１、チューナ制御部３２、受信制御部３３、データベース３４、表示処理部３５、OSD(On Screen Display)プレーン３６、DEMUX部３７、ビデオデコーダ３８、ビデオバッファ３９、合成処理部４０、オーディオデコーダ４１、及び、オーディオバッファ４２を有する。
【００３９】
ユーザ入力処理部３１は、ユーザによるチャンネル操作等の、ユーザI/F１６の操作（に対応するコマンド）を受け付け、受信制御部３３に供給する。
【００４０】
チューナ制御部３２は、受信制御部３３の制御に従って、ワンセグチューナ１２を制御する。
【００４１】
受信制御部３３は、ユーザ入力処理部３１からの、ユーザによるユーザI/F１６の操作や、データベース３４に記憶されたデータ、DEMUX部３７からのSI/PSIその他に基づき、チューナ制御部３２や、DEMUX部３７、その他の必要なブロックを制御する。
【００４２】
データベース３４は、受信制御部３３の制御に従い、最後に電源がオフされるときに、ワンセグチューナ１２で受信されていたチャンネル（サービス）等の、受信制御部３３の処理に必要なデータを記憶する。その他、データベース３４は、工場等でプリセットされたチャンネルの情報等を記憶している。
【００４３】
表示処理部３５は、受信制御部３３から必要に応じて供給されるチャンネル情報や番組情報を受信し、OSDプレーン３６に描画する。
【００４４】
OSDプレーン３６は、OSDとしての画像が描画される記憶領域であり、表示処理部３５によって、チャンネル情報や番組情報（の画像）が描画される。
【００４５】
DEMUX部３７には、ワンセグチューナ１２から、TSが供給される。
【００４６】
DEMUX部３７は、ワンセグチューナ１２からのTSから、SI/PSIを分離し、受信制御部３３に供給する。
【００４７】
また、DEMUX部３７は、ワンセグチューナ１２からのTSから、受信制御部３３から供給されるPIDのTSパケットを分離し、そのTSパケットに配置されている、ビデオデータのエンコードデータを、ビデオデコーダ３８に供給する。
【００４８】
さらに、DEMUX部３７は、ワンセグチューナ１２からのTSから分離したTSパケットに配置されている、オーディオデータのエンコードデータを、オーディオデコーダ４１に供給する。
【００４９】
ビデオデコーダ３８は、DEMUX部３７からのビデオデータのエンコードデータをデコードし、その結果得られるビデオデータを、ビデオバッファ３９に供給する。
【００５０】
ビデオバッファ３９は、ビデオデコーダ３８からのビデオデータを適宜記憶する。
【００５１】
合成処理部４０は、ビデオバッファ３９に記憶されたビデオデータに、OSDプレーン３６に描画されたチャンネル情報や番組情報を、いわゆるαブレンディング等によって重畳し、そのαブレンディングの結果得られるビデオデータを、表示デバイス１７に供給する。
【００５２】
オーディオデコーダ４１は、DEMUX部３７からのオーディオデータのエンコードデータをデコードし、その結果得られるオーディオデータを、オーディオバッファ４２に供給する。
【００５３】
オーディオバッファ４２は、オーディオデコーダ４１からのオーディオデータを適宜記憶する。オーディオバッファ４２に記憶されたオーディオデータは、適宜読み出され、DAC/AMP１８に供給される。
【００５４】
以上のように構成される受信制御装置では、例えば、ユーザが、ユーザI/F１６のチャンネル操作を行うと、ユーザ入力処理部３１は、そのユーザI/F１６のチャンネル操作を受け付け、受信制御部３３に供給する。
【００５５】
受信制御部３３は、ユーザ入力処理部３１からのチャンネル操作に基づき、ユーザが希望するチャンネルの選局処理を行う。すなわち、受信制御部３３は、受信すべき周波数帯域を決定し、その周波数帯域の信号を受信するように、チューナ制御部３２を制御する。
【００５６】
チューナ制御部３２は、受信制御部３３の制御に従い、ワンセグチューナ１２を制御し、ユーザが希望するチャンネルの周波数帯域の信号を受信させる。
【００５７】
これにより、ワンセグチューナ１２では、ユーザが希望するチャンネル（サービス）の周波数帯域の信号が受信され、そのチャンネルのTSが、DEMUX部３７に供給される。
【００５８】
DEMUX部３７は、受信制御部３３の制御に従い、ワンセグチューナ１２からのTSから、NIT(Network InforamtionTableやPMT(Program Map Table)等のSI/PSIを分離し、受信制御部３３に供給する。
【００５９】
受信制御部３３は、DEMUX部３７に対して、SI/PSIのPIDを指示することによって、DEMUX部３７からSI/PSIを取得する。そして、受信制御部３３は、SI/PSIから、デコードすべきコンテンツのデータ（ビデオデータやオーディオデータ）が配置されたTSパケットのPIDを認識し、そのPIDのTSパケットを、TSから分離するように、DEMUX部３７を制御する。
【００６０】
DEMUX部３７は、受信制御部３３の制御に従い、デコードすべきコンテンツのデータが配置されたTSパケットを、ワンセグチューナ１２からのTSから分離する。そして、DEMUX部３７は、TSから分離したTSパケットに配置されているデータのうちの、ビデオデータのエンコードデータを、ビデオデコーダ３８に供給するとともに、オーディオデータのエンコードデータを、オーディオデコーダ４１に供給する。
【００６１】
ビデオデコーダ３８では、DEMUX部３７からのビデオデータのエンコードデータがデコードされる。ビデオデコーダ３８でのデコードの結果得られるビデオデータは、ビデオバッファ３９に供給されて記憶される。
【００６２】
ビデオバッファ３９に記憶されたビデオデータには、合成処理部４０において、OSDプレーン３６に描画されたチャンネル情報や番組情報が、必要に応じて重畳される。そして、ビデオデータは、合成処理部４０から表示デバイス１７に供給され、対応する画像が表示される。
【００６３】
一方、オーディオデコーダ４１では、DEMUX部３７からのオーディオデータのエンコードデータがデコードされる。オーディオデコーダ４１でのデコードの結果得られるオーディオデータは、オーディオバッファ４２、及び、DAC/AMP１８を介して、スピーカ１９に供給され、対応する音声が出力される。
【００６４】
なお、受信制御部３３は、データベース３４にプリセットされたチャンネルの情報（例えば、各チャンネルの周波数等）を参照して、受信すべき周波数帯域を決定する。
【００６５】
また、受信システムの電源がオフにされるとき、受信制御部３３は、電源がオフされる直前に受信されているチャンネル（サービス）の情報を、データベース３４に記憶させる。そして、受信システムの電源がオンにされた直後は、受信制御部３３は、データベース３４に記憶された、最後に電源がオフされるときに受信されていたチャンネル（サービス）の選局処理を行う。
【００６６】
［SI/PSI］
【００６７】
図３は、ワンセグ放送のTSのSI/PSIとしてのNIT及びPMTの例を示す図である。
【００６８】
NITには、そのNITが送信される周波数帯域（以下、物理チャンネルともいう）において送信されるTSに含まれるサービスの情報が記述されたサービスリスト(Service List)が含まれる。
【００６９】
図３のNITは、ある物理チャンネルにおいて送信されているTSに、２つのサービスが含まれている場合のNITであり、サービスリストには、その２つのサービスについて、サービスを識別する情報であるサービスID(ServiceID)等が記述されている。
【００７０】
ARIB(Association of Radio Industries and Businesses)の規格では、NIT（のTSパケット）のPIDは、0x0010（0xは、その後に続く数字が16進数であることを表す）に定められている。
【００７１】
したがって、受信制御部３３は、PIDが0x0010のTSパケットを、TSから分離するように、DEMUX部３７を制御する（PID=0x0010を指示する）ことで、NITを取得することができる。
【００７２】
PMTには、サービスとしてのコンテンツのデータが配置されたTSパケット（コンテンツのデータを含むTSパケット）のPIDが記述されている。
【００７３】
図３では、コンテンツのデータのTSパケット（コンテンツのデータが配置されたTSパケット）のPIDとして、PCR(Program Clock Reference)のTSパケットのPID(PCR PID)、ビデオデータ（のエンコードデータ）のTSパケットのPID(Video ES(Elementary Stream) PID)、及び、オーディオデータ（のエンコードデータ）のTSパケットのPID(Audio ES PID)が記述されている。
【００７４】
いま、サービスIDを変数NUMで表すこととすると、ARIBの規格では、サービスIDがNUMのサービスのPMT、すなわち、サービスIDがNUMのサービスのコンテンツのデータのTSパケットのPIDが記述されているPMTのPIDであるPMT_PIDは、式PMT_PID＝0x1FC8＋NUMで表される。
【００７５】
図３では、TSに含まれる２つのサービスのサービスIDは、それぞれ、0と1になっている。そのため、サービスIDが0のサービス（以下、サービス#0ともいう）のPMT_PIDは、0x1FC8（＝0x1FC8＋0）になっており、サービス#1（サービスIDが1のサービス）のPMT_PIDは、0x1FC9（＝0x1FC8＋1）になっている。
【００７６】
ユーザがチャンネル操作を行って、ユーザが希望するサービスを指定した場合、そのチャンネル操作により指定されたサービス（以下、指定サービスともいう）が、現在受信しているTSに含まれるときには、すなわち、ワンセグチューナ１２でTSを現に受信している物理チャンネル（以下、現在物理チャンネルともいう）を変更する必要がないときには、受信制御部３３は、現在物理チャンネルのNIT（指定サービスが記述されているサービスリストを含むNIT）を、既に取得している（はずな）ので、その取得済みの現在物理チャンネルのNITを参照することにより、現在物理チャンネルで送信されているTSに含まれる指定サービスのサービスID、ひいては、PMT_PIDを、即座に認識することができる。
【００７７】
そして、受信制御部３３は、指定サービスのPMT_PIDから、指定サービスのPMTを取得し、その指定サービスのPMTから、指定サービスのコンテンツのTSパケットのPIDを認識することができる。
【００７８】
指定サービスのコンテンツのTSパケットのPIDを認識した後は、受信制御部３３は、指定サービスを受信することができる。すなわち、受信制御部３３は、DEMUX部３７に、TSから、指定サービスのコンテンツのPIDのTSパケットを分離させ、そのコンテンツの画像及び音声を出力すること（画像を表示デバイス１７に表示し、音声をスピーカ１９から出力すること）ができる。
【００７９】
一方、指定サービスが、現在受信しているTSに含まれないときには、すなわち、ワンセグチューナ１２でTSを受信している物理チャンネル（現在物理チャンネル）を変更する必要があるときには、受信制御部３３は、現在物理チャンネルを、指定サービスを含むTSが送信されている物理チャンネルに変更するように、チューナ制御部３２を制御する。
【００８０】
チューナ制御部３２は、受信制御部３３の制御に従って、ワンセグチューナ１２を制御する。これにより、ワンセグチューナ１２は、現在物理チャンネルを、指定サービスを含むTSが送信されている物理チャンネルに変更し、その結果、ワンセグチューナ１２からDEMUX部３７には、指定サービスを含むTSが供給される。
【００８１】
指定サービスのコンテンツのTSパケットを受信するには、指定サービスのPMT_PIDが必要であるが、指定サービスのPMT_PIDを認識するには、変更後の物理チャンネル、すなわち、指定サービスを含むTSが送信されている物理チャンネルで送信されているNITが必要である。
【００８２】
NITのPIDは、上述したように、0x0010に固定されているため、受信制御部３３は、PIDが0x0010のTSパケットを取得する（ように、DEMUX部３７を制御する）ことにより、指定サービスを含むTSのNITを取得する。
【００８３】
NITの取得後は、指定サービスが現在受信しているTSに含まれるときと同様にして、指定サービスを受信することができる。
【００８４】
すなわち、受信制御部３３は、現在物理チャンネルのNIT（指定サービスが記述されているサービスリストを含むNIT）を参照することにより、現在物理チャンネルで送信されているTSに含まれる指定サービスのサービスID、ひいては、PMT_PIDを認識する。
【００８５】
そして、受信制御部３３は、指定サービスのPMT_PIDから、指定サービスのPMTを取得し、その指定サービスのPMTから、指定サービスのコンテンツのTSパケットのPIDを認識する。
【００８６】
受信制御部３３は、指定サービスのコンテンツのTSパケットのPIDに基づき、指定サービスを受信する。すなわち、受信制御部３３は、DEMUX部３７に、TSから、指定サービスのコンテンツのPIDのTSパケットを分離させ、そのコンテンツの画像及び音声を出力する。
【００８７】
図４は、ユーザによるチャンネル操作と、チャンネル操作によって受信制御部３３が受信するサービスとの関係を説明する図である。
【００８８】
ここで、例えば、ユーザI/F１６としてのリモートコマンダに設けられている、いわゆるチャンネル（サービス）を直接指定するときに操作される1,2,・・・,12の番号が表示されたボタンを、チャンネルボタンという。
【００８９】
また、チャンネルボタンに表示された番号を、論理チャンネル番号ともいう。
【００９０】
１つのチャンネルボタン、すなわち、１つの論理チャンネル番号は、例えば、１つの放送局に対応する。
【００９１】
１つの物理チャンネルでは、複数のサービス（番組）を提供（送信）することができる。物理チャンネルで送信される各サービスについては、そのサービスが送信される論理的なチャンネルを表す3桁の番号である3桁チャンネル番号が付される。
【００９２】
図４では、論理チャンネル番号が"7"の物理チャンネルにおいて、3桁チャンネル番号が"671"の１つのサービスが提供されている。
【００９３】
また、図４では、論理チャンネル番号が"8"の物理チャンネルにおいて、3桁チャンネル番号が"681"，"682"、及び、"683"の３つのサービスが提供されている。
【００９４】
さらに、図４では、論理チャンネル番号が"9"の物理チャンネルにおいて、3桁チャンネル番号が"691"の１つのサービスが提供されている。
【００９５】
なお、ワンセグ放送において、3桁チャンネル番号の上位の2桁としては、例えば、論理チャネル番号に、60を加算した値が採用される。
【００９６】
また、3桁チャンネル番号の最下位の1桁は、編成チャンネルを表し、例えば、サービスIDの小さい順に、1からの整数が用いられる。したがって、物理チャンネルにおいて、ワンセグ放送として、１つのサービスのみが提供されている場合、そのサービス（を送信している論理的なチャンネル）の3桁チャンネル番号の最下位の1桁は、"1"になる。
【００９７】
チャンネル操作において、チャンネルボタンが操作された場合、受信制御部３３は、チャンネル操作で操作されたチャンネルボタンに表示された論理チャンネル番号に対応する物理チャンネルで送信されているTSのNITを取得し、そのNITに含まれるサービスリストを参照することにより、NITを取得した物理チャンネル（現在物理チャンネル）で提供されているサービスの数とサービスIDを認識する。
【００９８】
なお、チャンネル操作において、現在受信している物理チャンネルの論理チャンネル番号が表示されたチャンネルボタンが表示された場合、その物理チャンネル（現在物理チャンネル）で送信されているTSのNITは、既に取得されている（はずな）ので、受信制御部３３は、その取得済みのNITを参照して、現在物理チャンネルで提供されているサービスの数とサービスIDを認識することができる。
【００９９】
現在物理チャンネルで提供されているサービスの数が１つである場合、受信制御部３３は、その、現在物理チャンネルで提供されている１つのサービスを、ユーザがチャンネル操作としてのチャンネルボタンの操作により指定した指定サービスに決定する。
【０１００】
そして、受信制御部３３は、現在物理チャンネルのNITを参照することにより、現在物理チャンネルで送信されているTSに含まれる指定サービスのPMT_PIDを認識する。さらに、受信制御部３３は、指定サービスのPMT_PIDから、指定サービスのPMTを取得し、その指定サービスのPMTから、指定サービスのコンテンツのTSパケットのPIDを認識する。
【０１０１】
受信制御部３３は、指定サービスのコンテンツのTSパケットのPIDに基づき、指定サービスを受信する。すなわち、受信制御部３３は、DEMUX部３７に、TSから、指定サービスのコンテンツのPIDのTSパケットを分離させ、そのコンテンツの画像及び音声を出力する。
【０１０２】
一方、現在物理チャンネルで提供されているサービスの数が２以上である場合、受信制御部３３は、その、現在物理チャンネルで提供されている２以上のサービスのうちの、例えば、サービスIDが最小のサービスを、ユーザがチャンネル操作としてのチャンネルボタンの操作により指定した指定サービスに決定する。
【０１０３】
そして、以下、現在物理チャンネルで提供されているサービスの数が１つである場合と同様にして、指定サービスが受信される。
【０１０４】
したがって、図４において、ユーザが、例えば、論理チャンネル番号が"7"のチャンネルボタン（以下、チャンネルボタン"7"ともいう）を操作した場合、論理チャンネル番号が"7"の物理チャンネル（以下、物理チャンネル"7"ともいう）で送信されている、3桁チャンネル番号が"671"のサービス（以下、サービス"671"ともいう）が、指定サービスに決定されて受信される。
【０１０５】
また、ユーザが、例えば、チャンネルボタン"8"（論理チャンネル番号が"8"のチャンネルボタン）を操作した場合、そのチャンネルボタン"8"に対応する物理チャンネル"8"で送信されている３つのサービス"681"（3桁チャンネル番号が"681"のサービス），"682"、及び、"683"のうちの、サービスIDが最小のサービス、すなわち、3桁チャンネル番号が最小のサービス"681"が、指定サービスに決定されて受信される。
【０１０６】
さらに、ユーザが、例えば、チャンネルボタン"9"を操作した場合、そのチャンネルボタン"9"に対応する物理チャンネル"9"で送信されている１つのサービス"691"が、指定サービスに決定されて受信される。
【０１０７】
次に、チャンネル操作において、チャンネルのアップ又はダウンを指示するボタン（それぞれを、チャンネルアップボタン、又は、チャンネルダウンボタンともいう）が操作された場合のサービスの受信について説明する。
【０１０８】
チャンネルアップボタン、又は、チャンネルダウンボタンが操作される直前に受信されていたサービス（以下、直前サービスともいう）の3桁チャンネル番号と、その直前サービスが送信されている物理チャンネル（以下、直前物理チャンネルともいう）を表す論理チャンネル番号を、それぞれ、直前3桁チャンネル番号と、直前論理チャンネル番号という。
【０１０９】
チャンネルアップボタンが操作された場合、直前物理チャンネルで提供されているサービスの中に、直前3桁チャンネル番号より大きい3桁チャンネル番号のサービスが存在するときには、直前物理チャンネルで提供されているサービスのうちの、直前3桁チャンネル番号の次に大きい3桁チャンネル番号のサービスが、指定サービスに決定されて受信される。
【０１１０】
すなわち、受信制御部３３は、直前物理チャンネルのNITを参照することにより、直前物理チャンネルで提供されているサービスのうちの、直前3桁チャンネル番号の次に大きい3桁チャンネル番号のサービスを、ユーザによるチャンネル操作としてのチャンネルアップボタンの操作により指定された指定サービスに決定する。
【０１１１】
そして、受信制御部３３は、直前物理チャンネルのNITを参照することにより、直前物理チャンネルで送信されているTSに含まれる指定サービスのPMT_PIDを認識する。さらに、受信制御部３３は、指定サービスのPMT_PIDから、指定サービスのPMTを取得し、その指定サービスのPMTから、指定サービスのコンテンツのTSパケットのPIDを認識する。
【０１１２】
その後、受信制御部３３は、DEMUX部３７に、直前物理チャンネルで送信されてくるTSから、指定サービスのコンテンツのPIDのTSパケットを分離させ、そのコンテンツの画像及び音声を出力する。
【０１１３】
また、チャンネルアップボタンが操作された場合において、直前物理チャンネルで提供されているサービスの中に、直前3桁チャンネル番号より大きい3桁チャンネル番号のサービスが存在しないときには、つまり、直前3桁チャンネル番号が、直前物理チャンネルで提供されているサービスの中で、最大の3桁チャンネル番号であるときには、直前論理チャンネル番号の次に大きい論理チャンネル番号の物理チャンネルで提供されているサービスのうちの、例えば、最小の3桁チャンネル番号のサービスが、指定サービスに決定されて受信される。
【０１１４】
すなわち、受信制御部３３は、現在物理チャンネルを、指定サービスを含むTSが送信されている物理チャンネル、つまり、直前論理チャンネル番号の次に大きい論理チャンネル番号の物理チャンネルに変更するように、チューナ制御部３２を制御する。
【０１１５】
これにより、ワンセグチューナ１２は、現在物理チャンネルを、指定サービスを含むTSが送信されている物理チャンネルに変更し、その結果、ワンセグチューナ１２からDEMUX部３７には、指定サービスを含むTSが供給される。
【０１１６】
受信制御部３３は、DEMUX部３７に供給されている、指定サービスを含むTSのNITを取得し、そのNITに含まれるサービスリストを参照することにより、NITを取得した物理チャンネル（現在物理チャンネル）で提供されているサービスの数とサービスIDを認識する。
【０１１７】
受信制御部３３は、現在物理チャンネルで提供されているサービスのうちの、サービスIDが最小のサービス（3桁チャンネル番号が最小のサービスでもある）を、ユーザがチャンネル操作としてのチャンネルアップの操作により指定した指定サービスに決定する。
【０１１８】
そして、受信制御部３３は、現在物理チャンネルのNITを参照することにより、現在物理チャンネルで送信されているTSに含まれる指定サービスのPMT_PIDを認識する。さらに、受信制御部３３は、指定サービスのPMT_PIDから、指定サービスのPMTを取得し、その指定サービスのPMTから、指定サービスのコンテンツのTSパケットのPIDを認識する。
【０１１９】
受信制御部３３は、DEMUX部３７に、TSから、指定サービスのコンテンツのPIDのTSパケットを分離させ、そのコンテンツの画像及び音声を出力する。
【０１２０】
一方、チャンネルダウンボタンが操作された場合、直前物理チャンネルで提供されているサービスの中に、直前3桁チャンネル番号より小さい3桁チャンネル番号のサービスが存在するときには、直前物理チャンネルで提供されているサービスのうちの、直前3桁チャンネル番号の次に小さい3桁チャンネル番号のサービスが、指定サービスに決定されて受信される。
【０１２１】
すなわち、受信制御部３３は、直前物理チャンネルのNITを参照することにより、直前物理チャンネルで提供されているサービスのうちの、直前3桁チャンネル番号の次に小さい3桁チャンネル番号のサービスを、ユーザによるチャンネル操作としてのチャンネルダウンボタンの操作により指定された指定サービスに決定する。
【０１２２】
そして、受信制御部３３は、直前物理チャンネルのNITを参照することにより、直前物理チャンネルで送信されているTSに含まれる指定サービスのPMT_PIDを認識する。さらに、受信制御部３３は、指定サービスのPMT_PIDから、指定サービスのPMTを取得し、その指定サービスのPMTから、指定サービスのコンテンツのTSパケットのPIDを認識する。
【０１２３】
その後、受信制御部３３は、DEMUX部３７に、直前物理チャンネルで送信されてくるTSから、指定サービスのコンテンツのPIDのTSパケットを分離させ、そのコンテンツの画像及び音声を出力する。
【０１２４】
また、チャンネルダウンボタンが操作された場合において、直前物理チャンネルで提供されているサービスの中に、直前3桁チャンネル番号より小さい3桁チャンネル番号のサービスが存在しないときには、つまり、直前3桁チャンネル番号が、直前物理チャンネルで提供されているサービスの中で、最小の3桁チャンネル番号であるときには、直前論理チャンネル番号の次に小さい論理チャンネル番号の物理チャンネルで提供されているサービスのうちの、最大の3桁チャンネル番号のサービスが、指定サービスに決定されて受信される。
【０１２５】
すなわち、受信制御部３３は、現在物理チャンネルを、指定サービスを含むTSが送信されている物理チャンネル、つまり、直前論理チャンネル番号の次に小さい論理チャンネル番号の物理チャンネルに変更するように、チューナ制御部３２を制御する。
【０１２６】
これにより、ワンセグチューナ１２は、現在物理チャンネルを、指定サービスを含むTSが送信されている物理チャンネルに変更し、その結果、ワンセグチューナ１２からDEMUX部３７には、指定サービスを含むTSが供給される。
【０１２７】
受信制御部３３は、DEMUX部３７に供給されている、指定サービスを含むTSのNITを取得し、そのNITに含まれるサービスリストを参照することにより、NITを取得した物理チャンネル（現在物理チャンネル）で提供されているサービスの数とサービスIDを認識する。
【０１２８】
受信制御部３３は、現在物理チャンネルで提供されているサービスのうちの、サービスIDが最大のサービス（3桁チャンネル番号が最大のサービスでもある）を、ユーザがチャンネル操作としてのチャンネルアップの操作により指定した指定サービスに決定する。
【０１２９】
そして、受信制御部３３は、現在物理チャンネルのNITを参照することにより、現在物理チャンネルで送信されているTSに含まれる指定サービスのPMT_PIDを認識する。さらに、受信制御部３３は、指定サービスのPMT_PIDから、指定サービスのPMTを取得し、その指定サービスのPMTから、指定サービスのコンテンツのTSパケットのPIDを認識する。
【０１３０】
受信制御部３３は、DEMUX部３７に、TSから、指定サービスのコンテンツのPIDのTSパケットを分離させ、そのコンテンツの画像及び音声を出力する。
【０１３１】
したがって、図４において、例えば、物理チャンネル"7"で提供されているサービス"671"が受信されている場合において、チャンネルアップボタンが操作されたときには、物理チャンネル"7"で提供されているサービスの中に、サービス"671"よりも大きい3桁チャンネル番号のサービスが存在しないので、物理チャンネル"7"の次に論理チャンネル番号が大きい物理チャンネル"8"で提供されているサービス"681"，"682"、及び、"683"のうちの、最小の3桁チャンネル番号のサービス"681"が、指定サービスに決定されて受信される。
【０１３２】
そして、物理チャンネル"8"で提供されているサービス"681"が受信されている場合において、チャンネルアップボタンが操作されたときには、物理チャンネル"8"で提供されているサービス"681"，"682"、及び、"683"の中に、サービス"681"よりも大きい3桁チャンネル番号のサービスが存在するので、物理チャンネル"8"で提供されているサービス"681"，"682"、及び、"683"のうちの、サービス"681"の次に3桁チャンネル番号が大きいサービス"682"が、指定サービスに決定されて受信される。
【０１３３】
その後、さらに、チャンネルアップボタンが操作されたときには、同様にして、物理チャンネル"8"で提供されているサービス"681"，"682"、及び、"683"のうちの、サービス"682"の次に3桁チャンネル番号が大きいサービス"683"が、指定サービスに決定されて受信される。
【０１３４】
そして、物理チャンネル"8"で提供されているサービス"683"が受信されている場合において、チャンネルアップボタンが操作されたときには、物理チャンネル"8"で提供されているサービス"681"，"682"、及び、"683"の中に、サービス"683"よりも大きい3桁チャンネル番号のサービスは存在しないので、物理チャンネル"8"の次に論理チャンネル番号が大きい物理チャンネル"9"で提供されているサービスのうちの、最小の3桁チャンネル番号のサービス"691"が、指定サービスに決定されて受信される。
【０１３５】
一方、図４において、例えば、物理チャンネル"9"で提供されているサービス"691"が受信されている場合において、チャンネルダウンボタンが操作されたときには、物理チャンネル"9"で提供されているサービスの中に、サービス"691"よりも小さい3桁チャンネル番号のサービスが存在しないので、物理チャンネル"9"の次に論理チャンネル番号が小さい物理チャンネル"8"で提供されているサービス"681"，"682"、及び、"683"のうちの、最大の3桁チャンネル番号のサービス"683"が、指定サービスに決定されて受信される。
【０１３６】
そして、物理チャンネル"8"で提供されているサービス"683"が受信されている場合において、チャンネルダウンボタンが操作されたときには、物理チャンネル"8"で提供されているサービス"681"，"682"、及び、"683"の中に、サービス"683"よりも小さい3桁チャンネル番号のサービスが存在するので、物理チャンネル"8"で提供されているサービス"681"，"682"、及び、"683"のうちの、サービス"683"の次に3桁チャンネル番号が小さいサービス"682"が、指定サービスに決定されて受信される。
【０１３７】
その後、さらに、チャンネルダウンボタンが操作されたときには、同様にして、物理チャンネル"8"で提供されているサービス"681"，"682"、及び、"683"のうちの、サービス"682"の次に3桁チャンネル番号が小さいサービス"681"が、指定サービスに決定されて受信される。
【０１３８】
そして、物理チャンネル"8"で提供されているサービス"681"が受信されている場合において、チャンネルダウンボタンが操作されたときには、物理チャンネル"8"で提供されているサービス"681"，"682"、及び、"683"の中に、サービス"681"よりも小さい3桁チャンネル番号のサービスは存在しないので、物理チャンネル"8"の次に論理チャンネル番号が小さい物理チャンネル"7"で提供されているサービスのうちの、最大の3桁チャンネル番号のサービス"671"が、指定サービスに決定されて受信される。
【０１３９】
［チャンネル操作時の処理］
【０１４０】
チャンネル操作が行われた場合、受信制御部３３は、チャンネル操作によって指定されたサービス（指定サービス）のコンテンツを出力するための出力制御処理を行う。
【０１４１】
受信制御部３３が行う出力制御処理の処理モードには、通常モードと高速モードとがある。
【０１４２】
図５は、通常モード及び高速モードそれぞれの出力制御処理を説明するタイミングチャートである。
【０１４３】
なお、以下では、ワンセグチューナ１２で受信される物理チャンネルが変更されるチャンネル操作（ワンセグチューナ１２からDEMUX部３７に供給されるTSが変更されるチャンネル操作）が行われた場合の出力制御処理について説明する。
【０１４４】
物理チャンネルが変更されるチャンネル操作が行われた場合、変更後の物理チャンネルで提供されているサービスを受信するために、受信制御部３３は、通常モード、及び、高速モードのいずれの処理モードでも、ワンセグチューナ１２で、変更後の物理チャンネルで送信されてくるTSを受信するように、チューナ制御部３２を制御する。
【０１４５】
そして、チューナ制御部３２が、受信制御部３３の制御に従って、ワンセグチューナ１２を制御し、ワンセグチューナ１２で、変更後の物理チャンネルで送信されてくるTSが受信されて、DEMUX部３７に供給されると、通常モードでは、受信制御部３３は、変更後の物理チャンネルで送信されてくるTSのNITを取得する（Ｓ１１）。
【０１４６】
さらに、受信制御部３３は、変更後の物理チャンネルで送信されてくるTSのNITから、ユーザによるチャンネル操作によって指定されたサービス（指定サービス）のPMTを取得し（Ｓ１２）、そのPMTから、指定サービスのコンテンツのTSパケットを取得（分離）するように、DEMUX部３７を制御する。
【０１４７】
そして、DEMUX部３７で取得された指定サービスのコンテンツ（のデータ）については、ビデオデコーダ３８及びオーディオデコーダ４１でのデコードや、ビデオバッファ３９及びオーディオバッファ４２でのバッファリング等の、コンテンツを出力するための出力準備が行われ（Ｓ１３）、その後、出力準備が完了したコンテンツが出力される（コンテンツの画像が表示され、音声が出力される）（Ｓ１４）。
【０１４８】
したがって、通常モードでは、ユーザがチャンネル操作を行ってから、指定サービスのコンテンツが出力される（ユーザに提示される）までのサービス切り替え時間Tは、式（１）で表される。
【０１４９】
T＝Ttuner＋Tnit＋Tpmt＋Tdec
・・・（１）
【０１５０】
ここで、Ttunerは、ワンセグチューナ１２が、変更後の物理チャンネルで送信されてくるTSを受信する、変更後の物理チャンネルの選局に要する時間を表し、Tnitは、変更後の物理チャンネルで送信されてくるTSのNITを取得するのに要する時間を表す。また、Tpmtは、変更後の物理チャンネルで送信されてくるTSに含まれるサービスのpmtを取得するのに要する時間を表し、Tdecは、指定サービスのコンテンツのデコード等の出力準備に要する時間を表す。
【０１５１】
ワンセグ放送（地上ディジタル放送）において、NITの送信周期は、1秒(Typical)であり、PMTの送信周期は、200ミリ秒(Typical)であるので、式（１）の通常モードのサービス切り替え時間Tは、式（２）で表される。
【０１５２】
T＝Ttuner＋1.2秒＋Tdec
・・・（２）
【０１５３】
ところで、現在、日本で行われているワンセグ放送において、1つのTSに、2つ以上のサービスが含まれることは、極めて稀である。そこで、高速モードでは、1つのTSには、サービスIDが0のデフォルトサービスしか含まれていないと仮定して、出力制御処理が行われる。
【０１５４】
ここで、1つのTSに、サービスIDが0のデフォルトサービスだけが含まれると仮定した場合には、デフォルトサービスのサービスIDは0であるから、そのデフォルトサービスのPMT_PIDは、式PMT_PID＝0x1FC8＋NUM＝0x1FC8となる。
【０１５５】
したがって、1つのTSに、サービスIDが0のデフォルトサービスだけが含まれると仮定することにより、NITを取得せずに、デフォルトサービスのPMT（以下、デフォルトPMTともいう）を取得し（Ｓ２１）、そのデフォルトPMTから、デフォルトサービスのコンテンツを取得（TSから分離）して、出力準備を行うことができる（Ｓ２２）。
【０１５６】
その結果、高速モードのサービス切り替え時間Tは、式（１）の通常モードのサービス切り替え時間Tよりも、NITを取得するのに要する時間Tnitだけ短くなり、式（３）で表される。
【０１５７】
T＝Ttuner＋Tpmt＋Tdec
・・・（３）
【０１５８】
すなわち、高速モードによれば、チャンネル操作が行われてから、そのチャンネル操作によって指定されたサービスのコンテンツを、通常モードの場合よりも、1秒程度の時間Tnitだけ早く出力することができる。
【０１５９】
なお、高速モードでは、1つのTSに、サービスIDが0のデフォルトサービスだけが含まれると仮定するデフォルトサービス仮定が成立することを前提とするので、デフォルトサービス仮定が成立しない場合、すなわち、変更後の物理チャンネルで送信されてくるTSに、複数のサービスが含まれる場合や、1つのサービスしか含まれないが、その1つのサービスのサービスIDが0ではない場合、チャンネル操作によって指定されたサービス（指定サービス）を受信することができないことがある。
【０１６０】
そこで、高速モードでは、受信制御部３３は、デフォルトサービスのPMT（デフォルトPMT）の取得、及び、デフォルトPMTにPIDが記述されているコンテンツ（デフォルトサービスのコンテンツ）の出力準備と並列して、変更後の物理チャンネルで送信されてくるTSのNITを取得し（Ｓ２３）、そのNITに記述されているサービスリストに基づいて、デフォルトPMTが、チャンネル操作によって指定されたサービス（指定サービス）のPMTであること、すなわち、デフォルトサービスを、指定サービスとすることが正しいこと（指定サービスがデフォルトサービスであること）を確認するサービス確認を行う（Ｓ２４）。
【０１６１】
そして、デフォルトPMTが、指定サービスのPMTであることが確認された場合、すなわち、指定サービスがデフォルトサービスである場合、受信制御部３３は、デフォルトサービスのコンテンツ（デフォルトPMTにPIDが記述されているコンテンツ）の出力を開始させる（Ｓ２５）。
【０１６２】
一般に、コンテンツの出力準備、特に、デコードに要する時間は、NITの取得に要する時間Tnitより長いので、出力準備を行っている間に、NITを取得して、サービス確認を行うことができる。そのため、出力準備と並列して行われるNITの取得、及び、サービス確認については、行っても、行わなくても、サービス切り替え時間Tは、変わらない。
【０１６３】
したがって、出力準備と並列して、NITの取得、及び、サービス確認を行っても、サービス切り替え時間Tは、NITの取得、及び、サービス確認を行わない場合と同様に、式（３）で表される。
【０１６４】
なお、サービス確認の結果、指定サービスがデフォルトサービスでないことが確認された場合、受信制御部３３は、出力準備と並列して取得したNITから、指定サービスのPMTを取得し（Ｓ２６）、そのPMTから、指定サービスのコンテンツのTSパケットを取得するように、DEMUX部３７を制御する。
【０１６５】
そして、DEMUX部３７で取得された指定サービスのコンテンツ（のデータ）については、ビデオデコーダ３８及びオーディオデコーダ４１でのデコードや、ビデオバッファ３９及びオーディオバッファ４２でのバッファリング等の、コンテンツを出力するための出力準備が行われ（Ｓ２７）、その後、出力準備が完了したコンテンツが出力される（Ｓ２８）。
【０１６６】
したがって、指定サービスがデフォルトサービスでないことが確認された場合、サービス切り替え時間Tは、ワンセグチューナ１２が変更後の物理チャンネルの選局に要する時間Ttuner、デフォルトPMTの取得に要する時間Tpmt1、出力準備と並列して行われるNITの取得に要する時間Tnit、指定サービスがデフォルトサービスでないことが確認された後に行われる指定サービスのPMTの取得に要する時間Tpmt2、及び、指定サービスのコンテンツの出力準備に要する時間Tdecを加算した値となり、式（４）で表される。
【０１６７】
T＝Ttuner＋Tpmt1＋Tnit＋Tpmt2＋Tdec
・・・（４）
【０１６８】
したがって、指定サービスがデフォルトサービスでなかった場合であっても、サービス切り替え時間Tは、200ミリ秒程度の時間Tpmt1しか、通常モードの場合と変わらない。
【０１６９】
なお、デフォルトPMTの取得と、NITの取得とは、並列して行うことができ、NITの取得に要する時間Tnitは、デフォルトPMTの取得に要する時間Tpmt1よりも長いので、ほとんどの場合、デフォルトPMTの取得に要する時間Tpmt1は、NITの取得に要する時間Tnitに、いわば吸収される（式（４）において、Tpmt1=0となる）。この場合、式（４）により表されるサービス切り替え時間Tは、式Ttuner＋Tnit＋Tpmt2＋Tdecで表され、通常モードの場合と変わらない。
【０１７０】
図５を参照して、通常モード、及び、高速モードそれぞれの出力制御処理について、さらに説明する。
【０１７１】
通常モードでは、物理チャンネルが変更されるチャンネル操作がユーザによって行われると、受信制御部３３は、ワンセグチューナ１２で、変更後の物理チャンネルで送信されてくるTSを受信するように、チューナ制御部３２を制御し、これにより、ワンセグチューナ１２では、変更後の物理チャンネルで送信されてくるTSが受信され、DEMUX部３７に供給される。
【０１７２】
そして、ステップＳ１１において、受信制御部３３は、変更後の物理チャンネルで送信されてくるTSのNITを待って取得（受信）する。
【０１７３】
すなわち、受信制御部３３は、NITのPIDである0x0010を、DEMUX部３７に供給し、DEMUX部３７が、ワンセグチューナ１２からのTSから、PIDが0x0010のTSパケットを分離して、受信制御部３３に供給してくるのを待って、そのPIDが0x0010のTSパケットのデータであるNITを取得する。
【０１７４】
なお、図５では、説明を簡単にするため、ワンセグチューナ１２が、変更後の物理チャンネルの選局に要する時間Ttunerを0としてある。
【０１７５】
受信制御部３３は、NITを取得すると、そのNITに記述されたサービスリストを参照することにより、図４で説明したように、ユーザによるチャンネル操作によって指定された指定サービス（のサービスID）を決定し、さらに、指定サービスのPMT_PIDを認識する。
【０１７６】
その後、ステップＳ１２において、受信制御部３３は、指定サービスのPMT_PIDに基づき、指定サービスのPMTが送信されてくるのを待って、その指定サービスのPMTを取得する。
【０１７７】
すなわち、受信制御部３３は、指定サービスのPMT_PIDを、DEMUX部３７に供給し、DEMUX部３７が、ワンセグチューナ１２からのTSから、PIDが指定サービスのPMT_PIDのTSパケットを分離して、受信制御部３３に供給してくるのを待って、PMT_PIDのTSパケットのデータである、指定サービスのPMTを取得する。
【０１７８】
受信制御部３３は、指定サービスのPMTの取得後、ステップＳ１３において、指定サービスのコンテンツ、つまり、指定サービスのPMTにPIDが記述されているコンテンツの出力を準備する出力準備を行う。
【０１７９】
すなわち、受信制御部３３は、DEMUX部３７に、ワンセグチューナ１２からのTSから、指定サービスのPMTに記述されているPIDのTSパケット、つまり、指定サービスのコンテンツのデータを分離させ、ビデオデコーダ３８やオーディオデコーダ４１に供給させる。
【０１８０】
さらに、受信制御部３３は、ビデオデコーダ３８やオーディオデコーダ４１に、指定サービスのコンテンツのデータをデコードさせ、ビデオバッファ３９やオーディオバッファ４２に、デコード後のコンテンツのデータをバッファリングさせる。
【０１８１】
そして、受信制御部３３は、出力準備が完了すると、すなわち、例えば、ある程度のデータ量のコンテンツのデータが、ビデオバッファ３９及びオーディオバッファ４２にバッファリングされると、ステップＳ１４において、ビデオバッファ３９及びオーディオバッファ４２にバッファリングされたコンテンツのデータに対応する画像及び音声を出力させる（画像を表示デバイス１７に表示させ、音声をスピーカ１９から出力させる）。
【０１８２】
一方、高速モードでは、物理チャンネルが変更されるチャンネル操作がユーザによって行われると、受信制御部３３は、通常モードと同様に、ワンセグチューナ１２で、変更後の物理チャンネルで送信されてくるTSを受信するように、チューナ制御部３２を制御する。これにより、ワンセグチューナ１２では、変更後の物理チャンネルで送信されてくるTSが受信され、DEMUX部３７に供給される。
【０１８３】
そして、ステップＳ２１において、受信制御部３３は、指定サービスが、変更後の物理チャンネルで送信されてくるデフォルトサービスであると仮定し、変更後の物理チャンネルで送信されてくるデフォルトサービスのPMTであるデフォルトPMT、すなわち、PIDが、デフォルトサービスのPMTのPMT_PIDとしてあらかじめ決められた0x1FC8のTSパケットを待って取得する。
【０１８４】
受信制御部３３は、デフォルトPMTの取得後、ステップＳ２２において、デフォルトサービスのコンテンツ、つまり、デフォルトPMTにPIDが記述されているコンテンツの出力を準備する出力準備を行う。
【０１８５】
高速モードでは、受信制御部３３は、以上のようなステップＳ２１でのデフォルトPMTの取得、及び、ステップＳ２２でのデフォルトサービスのコンテンツの出力準備と並列し、ステップＳ２３において、変更後の物理チャンネルで送信されてくるTSのNITを待って取得する。
【０１８６】
受信制御部３３は、NITを取得すると、そのNITに記述されたサービスリストを参照することにより、図４で説明したように、ユーザによるチャンネル操作によって指定された指定サービス（のサービスID）を決定し、さらに、指定サービスのPMT_PIDを認識する。
【０１８７】
そして、受信制御部３３は、ステップＳ２４において、デフォルトサービスを指定サービスとすること、つまり、指定サービスがデフォルトサービスであるとの仮定が正しいことを確認するサービス確認を行う。
【０１８８】
ステップＳ２４のサービス確認の結果、指定サービスがデフォルトサービスであるとの仮定が正しいことが確認された場合、すなわち、NITのサービスリストに記述された指定サービスのサービスIDが、デフォルトサービスのサービスIDとしてあらかじめ決められた0である場合、ステップＳ２５において、受信制御部３３は、ステップＳ２２の出力準備が完了するのを待って、その出力準備の完了したデフォルトサービスのコンテンツのデータに対応する画像及び音声を出力させる。
【０１８９】
以上のように、高速モードにおいて、指定サービスがデフォルトサービスであるとの仮定が正しい場合には、通常モードに比較して、ステップＳ１１で行われる、NITの取得に要する時間Tnitである1秒程度ほど、サービス切り替え時間Tを短縮することができる。
【０１９０】
一方、ステップＳ２４のサービス確認の結果、指定サービスがデフォルトサービスであるとの仮定が正しくないことが確認された場合、すなわち、NITのサービスリストに記述された指定サービスのサービスIDが、デフォルトサービスのサービスIDとしてあらかじめ決められた0でない場合、受信制御部３３は、ステップＳ２６において、指定サービスのPMT_PIDに基づき、指定サービスのPMTが送信されてくるのを待って、その指定サービスのPMTを取得する。
【０１９１】
受信制御部３３は、指定サービスのPMTの取得後、ステップＳ２７において、指定サービスのコンテンツ、つまり、指定サービスのPMTにPIDが記述されているコンテンツの出力を準備する出力準備を行う。
【０１９２】
そして、受信制御部３３は、ステップＳ２８において、ステップＳ２７の出力準備が完了するのを待って、その出力準備の完了した指定サービスのコンテンツのデータに対応する画像及び音声を出力させる。
【０１９３】
以上のように、高速モードにおいて、指定サービスがデフォルトサービスであるとの仮定が正しくなくても、サービス切り替え時間Tは、通常モードの場合と同程度となる。
【０１９４】
［通常モードの出力制御処理］
【０１９５】
図６は、通常モードの出力制御処理を説明するフローチャートである。
【０１９６】
ステップＳ４１において、受信制御部３３は、ユーザによるチャンネル操作が行われたかどうかを判定し、チャンネル操作が行われていないと判定した場合、処理は、ステップＳ４１に戻る。
【０１９７】
また、ステップＳ４１において、チャンネル操作が行われたと判定された場合、処理は、ステップＳ４２に進み、受信制御部３３は、表示デバイス１７での画像の表示、及び、スピーカ１９からの音声の出力をミュート（停止）して、処理は、ステップＳ４３に進む。
【０１９８】
ステップＳ４３では、受信制御部３３は、チャンネル操作によってユーザが指定した指定サービスを含むTSが送信されてくる物理チャンネルをワンセグチューナ１２が受信するように、チューナ制御部３２を制御し、その物理チャンネルでTSのNIT（PIDが0x0010のTSパケット）が送信されてくるのを待って取得（受信）する。
【０１９９】
そして、処理は、ステップＳ４３からステップＳ４４に進み、受信制御部３３は、ステップＳ４３で取得したNITに記述されたサービスリストを参照することにより、図４で説明したように、ユーザによるチャンネル操作によって指定された指定サービス（のサービスID）を決定し、さらに、指定サービスのPMT_PIDを認識して、処理は、ステップＳ４５に進む。
【０２００】
ステップＳ４５では、受信制御部３３は、指定サービスのPMT_PIDに基づき、指定サービスのPMTが送信されてくるのを待って、その指定サービスのPMTを取得して、処理は、ステップＳ４６に進む。
【０２０１】
ステップＳ４６では、受信制御部３３は、例えば、指定サービスのPMTに基づき、指定サービスのコンテンツのTSパケットの取得（TSからの分離）を、DEMUX部３７に指示し、さらに、指定サービスのコンテンツのデコードを、ビデオデコーダ３８及びオーディオデコーダ４１に指示する等の、指定サービスのコンテンツの出力準備を開始して、処理は、ステップＳ４７に進む。
【０２０２】
ステップＳ４７では、受信制御部３３は、指定サービスのコンテンツの出力準備が完了するのを待って、ステップＳ４２で行った画像及び音声の出力のミュートを解除し、出力準備の完了した指定サービスのコンテンツのデータに対応する画像及び音声を出力させる。
【０２０３】
その後、処理は、ステップＳ４７からステップＳ４１に戻り、以下、同様の処理が繰り返される。
【０２０４】
なお、チャンネル操作が、ワンセグチューナ１２で受信される物理チャンネルの変更が必要な操作ではない場合、すなわち、ワンセグチューナ１２で現在受信されているTSに、複数のサービスが含まれており、チャンネル操作として、例えば、その複数のサービスのうちのいずれかのサービスが指定サービスとなる、チャンネルアップボタン、又は、チャンネルダウンボタンの操作が行われた場合、ワンセグチューナ１２で現在受信されているTSのNITは取得済みである（はずな）ので、ステップＳ４３の処理は、スキップすることができる。
【０２０５】
［高速モードの出力制御処理］
【０２０６】
図７は、高速モードの出力制御処理を説明するフローチャートである。
【０２０７】
ステップＳ５１において、受信制御部３３は、ユーザによるチャンネル操作が行われたかどうかを判定し、チャンネル操作が行われていないと判定した場合、処理は、ステップＳ５１に戻る。
【０２０８】
また、ステップＳ５１において、チャンネル操作が行われたと判定された場合、処理は、ステップＳ５２に進み、受信制御部３３は、表示デバイス１７での画像の表示、及び、スピーカ１９からの音声の出力をミュートして、処理は、ステップＳ５３に進む。
【０２０９】
ステップＳ５３では、受信制御部３３は、チャンネル操作によってユーザが指定した指定サービスを含むTSが送信されてくる物理チャンネルをワンセグチューナ１２が受信するように、チューナ制御部３２を制御し、その物理チャンネルで送信されてくるデフォルトサービスのPMTであるデフォルトPMT（PIDが、デフォルトサービスのPMTのPMT_PIDとしてあらかじめ決められた0x1FC8のTSパケット）を待って取得する。
【０２１０】
そして、処理は、ステップＳ５３からステップＳ５４に進み、受信制御部３３は、デフォルトPMTに基づき、デフォルトサービスのコンテンツのデコードの指示等の出力準備を開始する。
【０２１１】
また、受信制御部３３は、NIT（PIDが0x0010のTSパケット）が送信されてくるのを待って、ステップＳ５５において取得し、処理は、ステップＳ５６に進む。
【０２１２】
ここで、NITが送信されてくるのを待つことは、受信制御部３３が、チャンネル操作によってユーザが指定した指定サービスを含むTSが送信されてくる物理チャンネルをワンセグチューナ１２が受信するように、チューナ制御部３２を制御し、これにより、ワンセグチューナ１２が、その物理チャンネルで送信されてくるTSを出力し始めてから、開始される。
【０２１３】
ステップＳ５６では、受信制御部３３は、ステップＳ５５で取得したNITに記述されたサービスリストを参照することにより、図４で説明したように、ユーザによるチャンネル操作によって指定された指定サービス（のサービスID）を決定し、さらに、指定サービスのPMT_PIDを認識して、処理は、ステップＳ５７に進む。
【０２１４】
ステップＳ５７では、受信制御部３３は、デフォルトサービスを指定サービスとすることが正しいことを確認するサービス確認として、指定サービスのサービスIDに基づき、指定サービスがデフォルトサービスであるとの仮定が正しいかどうかを判定する。
【０２１５】
ステップＳ５７において、指定サービスがデフォルトサービスであるとの仮定が正しいと判定された場合、すなわち、ステップＳ５５で取得されたNITのサービスリストに記述された指定サービスのサービスID（ステップＳ５６で決定された指定サービスのサービスID）が、デフォルトサービスのサービスIDとしてあらかじめ決められた0である場合、処理は、ステップＳ５８及びＳ５９をスキップして、ステップＳ６０に進み、受信制御部３３は、ステップＳ５４で開始されたデフォルトサービスのコンテンツの出力準備が完了するのを待って、ステップＳ５２で行った画像及び音声の出力のミュートを解除し、出力準備の完了したデフォルトサービスのコンテンツのデータに対応する画像及び音声を出力させる。
【０２１６】
一方、ステップＳ５７において、指定サービスがデフォルトサービスであるとの仮定が正しくないと判定された場合、すなわち、ステップＳ５５で取得されたNITのサービスリストに記述された指定サービスのサービスID（ステップＳ５６で決定された指定サービスのサービスID）が、デフォルトサービスのサービスIDとしてあらかじめ決められた0でない場合、処理は、ステップＳ５８に進み、受信制御部３３は、ステップＳ５６で認識された指定サービスのPMT_PIDに基づき、指定サービスのPMTが送信されてくるのを待って、その指定サービスのPMTを取得して、処理は、ステップＳ５９に進む。
【０２１７】
ステップＳ５９では、受信制御部３３は、指定サービスのPMTに基づき、指定サービスのコンテンツのデコードの指示等の出力準備を開始して、処理は、ステップＳ６０に進む。
【０２１８】
ステップＳ６０では、受信制御部３３は、指定サービスのコンテンツの出力準備が完了するのを待って、ステップＳ５２で行った画像及び音声の出力のミュートを解除し、出力準備の完了した指定サービスのコンテンツのデータに対応する画像及び音声を出力させる。
【０２１９】
その後、処理は、ステップＳ６０からステップＳ５１に戻り、以下、同様の処理が繰り返される。
【０２２０】
なお、チャンネル操作が、ワンセグチューナ１２で受信される物理チャンネルの変更が必要な操作ではない場合、すなわち、ワンセグチューナ１２で現在受信されているTSに、複数のサービスが含まれており、チャンネル操作として、例えば、その複数のサービスのうちのいずれかのサービスが指定サービスとなる、チャンネルアップボタン、又は、チャンネルダウンボタンの操作が行われた場合、ワンセグチューナ１２で現在受信されているTSのNITは取得済みである（はずな）ので、ステップＳ５３ないしＳ５７の処理はスキップすることができる。
【０２２１】
この場合、ステップＳ５８では、受信制御部３３は、取得済みのNITから認識される指定サービスのPMT_PIDに基づき、指定サービスのPMTが送信されてくるのを待って、その指定サービスのPMTを取得する。その後、処理は、ステップＳ５８からステップＳ５９以降に順次進み、上述した場合と同様の処理が行われる。
【０２２２】
以上のように、高速モードの出力制御処理では、ワンセグ放送について、1つのTSに、1つのデフォルトサービスだけが含まれ、指定サービスがデフォルトサービスであると仮定して、あらかじめ決められたPIDのPMTであるデフォルトPMTを取得し、デフォルトPMTにPIDが記述されているコンテンツ（デフォルトサービスのコンテンツ）の出力準備と並列して、NITを取得し、そのNITに記述されているサービスリストに基づいて、デフォルトPMTが、チャンネル操作によってユーザが指定した指定サービスのPMTであり（指定サービスのサービスIDが、デフォルトサービスのサービスIDである0であり）、指定サービスがデフォルトサービスであるとの仮定が正しいことを確認するサービス確認を行い、サービス確認において、指定サービスがデフォルトサービスであるとの仮定が正しいとの確認がとれた場合に、デフォルトサービスのコンテンツ（デフォルトPMTにPIDが記述されているコンテンツ）の出力を開始するので、PMTやNITを不揮発メモリに（半永久的に）保存しておく等の処理を行わず、シンプルな処理で、チャンネル操作がされてから、そのチャンネル操作によって指定された指定サービスのコンテンツが出力されるまでのサービス切り替え時間を短縮することができる。
【０２２３】
ここで、本実施の形態では、高速モードの出力制御処理をシンプルにするため、指定サービスがデフォルトサービスであると仮定して、デフォルトサービスについてあらかじめ決められたPID=0x1FC8のPMT（デフォルトPMT）を取得することにより、サービス切り替え時間の短縮化を図ることとしたが、その他、例えば、TSが送信される物理チャンネルごとに、NITに含まれるサービスリストを不揮発メモリに保存しておき、そのサービスリストを参照して、指定サービス（のサービスID）を決定し、その指定サービスのPMTを取得することによっても、サービス切り替え時間の短縮化を図ることができる。
【０２２４】
なお、本技術は、画像及び音声や、音声のみ、その他の任意のデータの放送を行う、任意のワンセグ放送を受信する受信システムに適用することができる。
【０２２５】
また、通常モードと高速モードとは、例えば、ユーザの操作等に従って切り替えることができる。
【０２２６】
さらに、受信制御装置（図２）には、通常モードと高速モードとの両方を実装するのではなく、高速モードだけを実装することができる。
【０２２７】
また、本技術は、チャンネル操作が、ユーザによって行われた場合の他、例えば、ユーザが行った視聴予約や録画予約の制御等によって行われる場合にも適用することができる。
【０２２８】
さらに、CPU１５（図１）が実行するプログラムは、不揮発メモリ１３にあらかじめインストールしておく他、光ディスクや半導体メモリ等のリムーバブル記録媒体に記録し、いわゆるパッケージソフトウエアとして提供することができる。
【０２２９】
そして、プログラムは、上述したようなリムーバブル記録媒体から受信システム（図１）にインストールすることができる。
【０２３０】
また、プログラムは、通信網や放送網を介して、受信システムにダウンロードし、内蔵する不揮発メモリ１３にインストールすることができる。すなわち、プログラムは、例えば、ダウンロードサイトから、ディジタル衛星放送用の人工衛星を介して、受信システムに無線で転送したり、LAN(Local Area Network)、インターネットといったネットワークを介して、受信システムに有線で転送することができる。
【０２３１】
ここで、本明細書において、CPU１５がプログラムに従って行う処理は、必ずしもフローチャートとして記載された順序に沿って時系列に行われる必要はない。すなわち、CPU１５がプログラムに従って行う処理は、並列的あるいは個別に実行される処理（例えば、並列処理あるいはオブジェクトによる処理）も含む。
【０２３２】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０２３３】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２３４】
なお、本技術の実施の形態は、上述した実施の形態に限定されるものではなく、本技術の要旨を逸脱しない範囲において種々の変更が可能である。
【０２３５】
例えば、本技術は、１つの機能をネットワークを介して複数の装置で分担、共同して処理するクラウドコンピューティングの構成をとることができる。
【０２３６】
また、上述のフローチャートで説明した各ステップは、１つの装置で実行する他、複数の装置で分担して実行することができる。
【０２３７】
さらに、１つのステップに複数の処理が含まれる場合には、その１つのステップに含まれる複数の処理は、１つの装置で実行する他、複数の装置で分担して実行することができる。
【０２３８】
なお、本技術は、以下のような構成をとることができる。
【０２３９】
［１］
ワンセグメント放送の受信を制御する受信制御部を備え、
前記受信制御部は、
あらかじめ決められたPID(Packet Identifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、
前記デフォルトPMTが、前記ユーザが指定したサービスのPMTである場合、前記デフォルトPMTにPIDが記述されているコンテンツの出力を開始させる
制御装置。
［２］
前記デフォルトPMTが、前記ユーザが指定したサービスのPMTでない場合、前記受信制御部は、前記ユーザが指定したサービスのPMTを取得し、そのPMTにPIDが記述されているコンテンツの出力を準備して、そのコンテンツの出力を開始させる
［１］に記載の制御装置。
［３］
前記ユーザが指定したサービスが、前記ワンセグメント放送を受信するチューナが現在受信している周波数帯域の信号とは異なる周波数帯域で放送されているサービスである場合、前記受信制御部は、
前記デフォルトPMTを取得し、そのデフォルトPMTにPIDが記述されているコンテンツの出力を準備するのと並列して、前記サービス確認を行い、
前記デフォルトPMTが、前記ユーザが指定したサービスのPMTである場合、前記デフォルトPMTにPIDが記述されているコンテンツの出力を開始させる
［１］又は［２］に記載の制御装置。
［４］
ワンセグメント放送の受信を制御する受信制御部を備える制御装置の
前記受信制御部が、
あらかじめ決められたPID(Packet IDentifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、
前記デフォルトPMTが、前記ユーザが指定したサービスのPMTである場合、前記デフォルトPMTにPIDが記述されているコンテンツの出力を開始させる
ステップを含む制御方法。
［５］
ワンセグメント放送の受信を制御する受信制御部として、コンピュータを機能させるためのプログラムであり、
前記受信制御部は、
あらかじめ決められたPID(Packet IDentifier)のPMT(Program Map Table)であるデフォルトPMTを取得し、前記デフォルトPMTにPIDが記述されているコンテンツの出力を準備するのと並列して、前記ワンセグメント放送のNITを取得し、前記NITに記述されているサービスリストに基づいて、前記デフォルトPMTが、ユーザが指定したサービスのPMTであることを確認するサービス確認を行い、
前記デフォルトPMTが、前記ユーザが指定したサービスのPMTである場合、前記デフォルトPMTにPIDが記述されているコンテンツの出力を開始させる
プログラム。
【符号の説明】
【０２４０】
１１  アンテナ，  １２  ワンセグチューナ，  １３  不揮発メモリ，  １４  DRAM，  １５  CPU，  １６  ユーザI/F，  １７  表示デバイス，  １８  DAC/AMP，  １９  スピーカ，  ３１  ユーザ入力処理部，  ３２  チューナ制御部，  ３３  受信制御部，  ３４  データベース，  ３５  表示処理部，  ３６  OSDプレーン，  ３７  DEMUX部，  ３８  ビデオデコーダ，  ３９  ビデオバッファ，  ４０  合成処理部，  ４１  オーディオデコーダ，  ４２  オーディオバッファ
【図１】
2013255093.tif 000003
【図２】
2013255093.tif 000004
【図３】
2013255093.tif 000005
【図４】
2013255093.tif 000006
【図５】
2013255093.tif 000007
【図６】
2013255093.tif 000008
【図７】
2013255093.tif 000009